(57)【要約】      （修正有）【課題】泥棒が赤外線検出器を見破り失効させるのを防止する。【解決手段】投光器と受光器で構成され、投光器が光束を投射する投光ユニットを具え、回路構造にＣＰＵプログラムエンコーダとパワー増幅コントローラが設けられ、ＣＰＵプログラムエンコーダにより特定のエンコード信号を発生してパワー増幅コントローラによりそれを遠距離の受光器に投射し、対応端の受光器に対応する赤外線受信器が設けられ、その回路構造に受光信号増幅器、ＣＰＵプログラム演算対比デコーダ、及び出力コントローラが設けられ、受光器の赤外線受信器がそれぞれ独立した受信ユニットとされ、投光器の赤外線エンコード信号を受け取った後、受光信号増幅器で信号を増幅し、並びにＣＰＵプログラム演算対比デコーダでデコード及び対比演算処理し、出力コントローラに対して自動制御し、未エンコード検証或いはエンコードミスマッチの信号による看破と失効を防止した。【選択図】図３
0003101578.tif 000002
【実用新案登録請求の範囲】
【請求項１】
投光器と受光器で構成され、
該投光器が光束を投射する投光ユニットを具え、回路構造にＣＰＵプログラムエンコーダとパワー増幅コントローラが設けられ、ＣＰＵプログラムエンコーダの演算処理により特定のエンコード信号を発生してパワー増幅コントローラを介して投光器でエンコード制御信号を含む赤外線光束を遠距離の受光器に投射し、
対応端の該受光器に対応する赤外線受信器が設けられ、その回路構造に受光信号増幅器、ＣＰＵプログラム演算対比デコーダ、及び出力コントローラが設けられ、赤外線光束の受信と制御上、受光器の赤外線受信器がそれぞれ独立した受信ユニットとされ、一旦投光器の赤外線エンコード信号を受け取ると、即刻受光信号増幅器で信号を増幅し、並びにＣＰＵプログラム演算対比デコーダでデコードと対比の演算処理を行ない、出力コントローラに対して自動制御を行なうことを特徴とする、赤外線検出器。
【請求項２】
請求項１記載の赤外線検出器において、受光信号増幅器が小信号増幅器と波形整形器で構成されたことを特徴とする、赤外線検出器。
【請求項３】
請求項１記載の赤外線検出器において、ＣＰＵプログラム演算対比デコーダが対比コントローラとＣＰＵプログラムデコーダで構成されたことを特徴とする、赤外線検出器。
【考案の詳細な説明】
【技術分野】
【０００１】
本考案は一種の赤外線検出器に係り、特に、高い安全防護機能を具え、伝統的な赤外線検出器が他人により看破されて赤外線検出防護機能を喪失しやすい欠点を改善したものに関する。
【背景技術】
【０００２】
市販されている赤外線検出器は、その構造がいずれも単一の投光器と単一の受光器で共同組成され、動作方式は、有効な光線検出範囲内に投光器と受光器が分けられて対向するように設置され、その後、投光器の投射ユニットが受光器の赤外線受信器に向けて光束を投射し、対応端の受光器の赤外線受信器が投光器の投射した光束を受け取り、こうして軌道式のような防護光束を構成し、投光器と受光器の間に構成される軌道光束がなにかの物体或いは泥棒の侵入により干渉を受けたり遮断されると、起動信号が発生してその他の防護設備、例えば威嚇式照明灯、アラーム等を自動制御で駆動する、というものであり、このような赤外線検出器は広く建物の保全防護用途に採用されている。防護レベル及び用途上の必要により、このような赤外線検出器はシングルビーム、ダブルビーム、及びマルチビームの形式に分けられる。そのうち、ダブルビームが比較的一般的な形式であり、それは落葉による遮断等の引き起こす誤動作を防止でき、その動作原理は、それぞれ投光器と受光器が対応する二組の投光ユニットと赤外線受信器が共同組成し、二つの投光ユニットの間に適当な距離が保持され、ゆえにそのうち一つの光束のみが遮断されても動作せず、落葉、昆虫、鳥類の引き起こす光束遮断による誤動作の発生を防止でき、同時に二つの光束が遮断されてはじめて動作する（例えば泥棒が進入する場合）、というものである。これにより、建物の周囲にはこのようなダブルビームの赤外線受信器が多く採用されている。
【０００３】
現在、伝統的なダブルビーム赤外線検出器は、表面上、ダブルビームによる検出、防護機能を具備しているように見えるが、実際にはそれは安全なダブルビーム赤外線検出システムであるとはいえない。なぜなら、伝統的なダブルビーム赤外線検出器は、図１に示されるように、光束の伝送するデータが投光器１のダブルビーム投光ユニット１Ａ、１Ｂの一方より発射され、もう一方の対応する受光器２にもまたダブルビーム赤外線受信器２Ａ、２Ｂで構成され（即ち図中のＡ、Ｂの二つの光束が形成される）、このような設置方式はダブルビーム防護光束を形成するが、実際には以下のような欠点がある。
１．効果上、人がこのようなダブルビーム赤外線検出を見破るのは相当に簡単であり、同じメーカー或いは異なるメーカーの投光器３の投光ユニット３Ａ、３Ｂで近距離から前述の受光器２の一方の赤外線受信器２Ａ或いは２Ｂに投光するか（図１の如し）、或いは図２のように、この投光器３の二つの投光ユニット３Ａ、３Ｂで直接近距離から前述の受光器２の二つの赤外線受信器２Ａ、２Ｂに投光すると、もともとの投光器１と受光器２の構成するダブルビームは、ただ他人の設置した投光器３と受光器２の間の有効距離のみを有するようになり（図１、２中の距離Ｌの区間）このため投光器３からもとの投光器１の間の距離Ｌ１区間の防護作用が失われ、ドアを開けるが如く、泥棒がこの部分の抜け孔から進入することができるようになり、赤外線検出器を設置していないも同然となった。
２．以上を受け、泥棒がどれが真正の受光器であるかを知らなくとも、二つの投光器を両端の投光器１と受光器２に対して設置すると、二つの投光器が対向してもなんら作用を発生しないが、もう一つの投光器は必然的に受光器に対応し、これにより泥棒に見破られやすく、検出防護の機能が失われる。
３．保密上、周知の赤外線検出器は投光器と受光器の間のデータ伝送に固定単一コードが採用され、ゆえに保密機能が無いも同然であった。
４．安全上、赤外線検出器の主要な用途は保全のための防護検出器であり、もしその作用を発揮できなければ安全上非常に憂慮される。
【考案の開示】
【考案が解決しようとする課題】
【０００４】
本考案の主要な目的は、一種の赤外線検出器を提供することにあり、それは、泥棒が不当な方式でその他の投光器を利用して受光器のうちの一つの赤外線受信器を見破り失効させるのを防止し、真に赤外線検出器の保全防護機能を発揮できるようにしたものとする。
【課題を解決するための手段】
【０００５】
請求項１の考案は、投光器と受光器で構成され、
該投光器が光束を投射する投光ユニットを具え、回路構造にＣＰＵプログラムエンコーダとパワー増幅コントローラが設けられ、ＣＰＵプログラムエンコーダの演算処理により特定のエンコード信号を発生してパワー増幅コントローラを介して投光器でエンコード制御信号を含む赤外線光束を遠距離の受光器に投射し、
対応端の該受光器に対応する赤外線受信器が設けられ、その回路構造に受光信号増幅器、ＣＰＵプログラム演算対比デコーダ、及び出力コントローラが設けられ、赤外線光束の受信と制御上、受光器の赤外線受信器がそれぞれ独立した受信ユニットとされ、一旦投光器の赤外線エンコード信号を受け取ると、即刻受光信号増幅器で信号を増幅し、並びにＣＰＵプログラム演算対比デコーダでデコードと対比の演算処理を行ない、出力コントローラに対して自動制御を行なうことを特徴とする、赤外線検出器としている。
請求項２の考案は、請求項１記載の赤外線検出器において、受光信号増幅器が小信号増幅器と波形整形器で構成されたことを特徴とする、赤外線検出器としている。
請求項３の考案は、請求項１記載の赤外線検出器において、ＣＰＵプログラム演算対比デコーダが対比コントローラとＣＰＵプログラムデコーダで構成されたことを特徴とする、赤外線検出器としている。
【考案の効果】
【０００６】
本考案の赤外線検出器は、泥棒が不当な方式でその他の投光器を利用して受光器のうちの一つの赤外線受信器を見破り失効させるのを防止し、真に赤外線検出器の保全防護機能を発揮できる。
ゆえに本考案の赤外線検出器は、進歩性と産業上の利用価値を具備し、その構造は未だ同類の製品中にはなく、新規性を具備している。
【考案を実施するための最良の形態】
【０００７】
本考案の赤外線検出器は、投光器と受光器で構成され、投光器が光束を投射する投光ユニットを具え、回路構造にＣＰＵプログラムエンコーダとパワー増幅コントローラが設けられ、ＣＰＵプログラムエンコーダにより特定のエンコード信号を発生してパワー増幅コントローラによりそれを遠距離の受光器に投射し、対応端の受光器に対応する赤外線受信器が設けられ、その回路構造に受光信号増幅器、ＣＰＵプログラム演算対比デコーダ、及び出力コントローラが設けられ、受光器の赤外線受信器がそれぞれ独立した受信ユニットとされ、投光器の赤外線エンコード信号を受け取った後、受光信号増幅器で信号を増幅し、並びにＣＰＵプログラム演算対比デコーダでデコード及び対比演算処理し、出力コントローラに対して自動制御し、泥棒が未エンコード検証或いはエンコードミスマッチの投光器で光束を受光器の一つの赤外線受信器に投射することによる見破りと破壊を防止できるようにした。
【実施例１】
【０００８】
図３は本考案の実施例の赤外線検出器の全体構造ブロック図である。基本的に、本考案は投光器と受光器が共同で構成する赤外線検出器であるが、構造上、周知の技術の見破られ失効させられやすい欠点を改善している。
【０００９】
投光器４（ダブルビーム投光ユニット４Ａ、４Ｂを具えたものを例として説明する）の内部回路には、電源装置１０のほか、別にＣＰＵプログラムエンコーダ４１及びパワー増幅コントローラ４２（図４も参照されたい）が設けられている。該ＣＰＵプログラムエンコーダ４１の演算処理により特定の暗号コードが生成され、この暗号コードは絶対に重複せず、さらに無規則性の乱数が組み合わされ（これは泥棒による解読防止のためである）、これにより、ＣＰＵプログラムエンコーダ４１が乱数コード式のエンコード制御信号を発生し、この信号がパワー増幅コントローラ４２で増幅され、さらに投光器４の投光ユニット４Ａ、４Ｂでエンコード制御信号を含む赤外線が集光された後の光束が遠距離の受光器５に投射される。
【００１０】
対応端の受光器５（図５を参照されたい）には対応するダブルビーム赤外線受信器５Ａ、５Ｂが設けられて、投光器４の投光ユニット４Ａ、４Ｂの投射した光束を受け取る。受光器５に必要な電源装置５０のほか、受光信号増幅器５１、ＣＰＵプログラム演算対比デコーダ５２、及び出力コントローラ５３が設置されている。該受光信号増幅器５１は小信号増幅器５１０と波形整形器５１１で構成され、ＣＰＵプログラム演算対比デコーダ５２は対比コントローラ５２０とＣＰＵプログラムデコーダ５２１で構成されている。受信制御上、各受光器５の赤外線受信器５Ａ、５Ｂは各自が独立受信ユニットに属し、一旦投光器４の赤外線エンコード信号を受け取ると、即刻小信号増幅器５１０で信号を増幅し、並びに波形整形器５１１を通して信号をＣＰＵプログラムデコーダ５２１に伝送し、ＣＰＵプログラムデコーダ５２１が受け取った単一暗号コードを保存し、演算対比の後、正確に必要な状態を実行する。
【００１１】
本考案は受光器５の各赤外線受信器５Ａ、５Ｂが独立した演算ユニットとして設計され、これにより各赤外線受信器５Ａ或いは５Ｂがそれぞれ投光器４からの赤外線エンコード信号を受け取ると、それぞれ受光器５のＣＰＵプログラムによりそれぞれデコードの演算処理を行ない、これによりそれぞれが個別に対比を行ない（即ち各光束データにデコード演算対比制御が採用される）、ゆえに、一方の赤外線受信器５Ａ或いは５Ｂに予期できぬ状況が発生しても、他の赤外線受信器５Ａ或いは５Ｂの認識と運転に影響が生じることがなく、十分に有効且つ安全な防護効果を達成できる。
【００１２】
以上の説明から分かるように、本考案の赤外線検出器は、実際に取り付けて使用する時、泥棒が他の投光器を使用して本考案の受光器のそのうち一つの赤外線受信器に投光することで本考案が架設する赤外線防護光束を見破り失効させようとしてもうまくいくことはない。なぜなら本考案の受光器を具えた赤外線受信器は暗号コード検証或いは暗号コードミスマッチの赤外線光束を認めないためであり、泥棒が強制的に乱入しようとすれば必然的に受光器５の出力コントローラ５３が動作し、その他の防護設備（威嚇式照明灯、アラーム等）が自動制御され駆動し、これにより最良の防護安全機能を達成でき、確実に周知の赤外線受信器の防護機能を喪失しやすい欠点を改善し、機能上、非常に顕著に改善されており、進歩性を具備し、実用新案登録の要件を具備している。
【００１３】
また、本考案は特に、赤外線検出器の投光器と受光器の赤外線光束軌道が実施例のようなダブルビーム構造に限定されるわけではなく、シングルビーム、スリービーム、或いはマルチビームの防護光束形態とされうる。このほか、ＣＰＵプログラムエンコーダ４１はパワー増幅コントローラ４２により同時に複数の投光器４を支援できる（図３参照）。
【図面の簡単な説明】
【００１４】
【図１】周知の赤外線検出器が看破により失効する状態表示図である。
【図２】周知の赤外線検出器が看破により失効するもう一つの状態表示図である。
【図３】本考案の実施例の赤外線検出器の全体構造ブロック図である。
【図４】本考案の実施例の投光器の電気回路図である。
【図５】本考案の実施例の受光器の電気回路図である。
【符号の説明】
【００１５】
１、３  投光器                          ２  受光器
１Ａ、１Ｂ、３Ａ、３Ｂ  投光ユニット    ２Ａ、２Ｂ  赤外線受信器
４  投光器                              ５  受光器
４Ａ、４Ｂ  投光ユニット                ５Ａ、５Ｂ  赤外線受信器
４０、５０  電源装置                    ４１  ＣＰＵプログラムエンコーダ
４２  パワー増幅コントローラ            ５１  受光信号増幅器
５２  ＣＰＵプログラム演算対比デコーダ  ５３  出力コントローラ
５１０  小信号増幅器                    ５１１  波形整形器
５２０  対比コントローラ                ５２１  ＣＰＵプログラムデコーダ
【図１】
0003101578.tif 000003
【図２】
0003101578.tif 000004
【図３】
0003101578.tif 000005
【図４】
0003101578.tif 000006
【図５】
0003101578.tif 000007